(57)【要約】【課題】  透明な合成樹脂製の遊技盤において、その電飾効果を向上させる。【解決手段】  可変入賞装置８のベース部２１よりも背後部分の上面部、両側面部及び底面部には、ＬＥＤ２９が実装されたプリント基板２８が取り付けられている。ＬＥＤ２９は装着孔１ｂの内周面に対面状態で配置されており、ＬＥＤ２９の光は装着孔１ｂの内周面から基板１ａの内部に進入し、その後に基板１ａの表面から放出されるので、遊技者には可変入賞装置８の周辺の基板１ａが光っているように見える。しかも、ＬＥＤ２９はベース部２１の背後にあって遊技者には見えないので、遊技者は基板１ａが発光しているかと思う。【選択図】  図２
2006136522.tif 000002
【特許請求の範囲】
【請求項１】
透光性の合成樹脂製で前面の一部又は全部が遊技領域とされる剛性の基板と、前記基板に装着された遊技盤部品とを備える遊技盤において、
前記基板の外面から該基板の内部に向けて光を照射する発光体を前記遊技盤部品のいずれかに取り付けた
ことを特徴とする遊技盤。
【請求項２】
請求項１記載の遊技盤において、
前記発光体は、該発光体が取り付けられている前記遊技盤部品を装着するために前記基板に設けられた装着孔の内周面に光を照射する
ことを特徴とする遊技盤。
【請求項３】
請求項２記載の遊技盤において、
前記発光体は、前記装着孔の内側に位置する部材に取り付けられている
ことを特徴とする遊技盤。
【請求項４】
請求項１記載の遊技盤において、
前記発光体は、前記基板の前面に光を照射する
ことを特徴とする遊技盤。
【請求項５】
請求項１ないし４のいずれか記載の遊技盤において、
前記発光体は、遊技者には見えない位置に配されている
ことを特徴とする遊技盤。
【請求項６】
請求項４又は５記載の遊技盤において、
前記発光体は、前記基板の前面に接触配置される部材の裏面に取り付けられている
ことを特徴とする遊技盤。
【発明の詳細な説明】
【技術分野】
【０００１】
本発明は、弾球遊技機の技術分野に属し、詳しくは遊技盤に関する。
【背景技術】
【０００２】
透光性の合成樹脂製で前面の一部又は全部が遊技領域とされる基板と、前記基板に装着された遊技盤部品とを備える遊技盤において、前記基板の背後に取り付けたカバーに発光体を配置して、発光体から出て基板を透過した光によって電飾効果を得る技術がある（特開平１０−１７９８５４号公報）。
【特許文献１】特開平１０−１７９８５４号公報（段落００２２〜００２３、図５）
【発明の開示】
【発明が解決しようとする課題】
【０００３】
しかしながら、単に基板の背後に発光体を配置した構成は基板にバックライトを備えたと同じことであり、背後からの光が基板上に設けられた印刷層を透過することによる電飾効果しか期待できない。つまり、透光性の基板を採用した利点を充分に活かしていなかった。
【０００４】
また、印刷層のような「目隠し」機能が無ければ、基板を透して発光体や配線基板等の「楽屋裏」が見えてしまうので、そのような目隠し材を省くわけにはいかない。といって、この目隠し材で光を遮断することもできない。
【課題を解決するための手段】
【０００５】
請求項１記載の遊技盤は、
透光性の合成樹脂製で前面の一部又は全部が遊技領域とされる剛性の基板と、前記基板に装着された遊技盤部品とを備える遊技盤において、前記基板の外面から該基板の内部に向けて光を照射する発光体を前記遊技盤部品のいずれかに取り付けたので、基板の遊技盤部品（例えば入賞装置など）の付近を発光させて電飾効果を得ることができる。
【０００６】
従来の電飾ではレンズが光の拡散、放射源となっていたが（特許文献１の技術でもレンズとなる要素を用いれば、その点で従来の電飾と同様になる。）、本発明の場合は透光性の基板自体が光の放射源となるので、従来の技術では得られなかった斬新な電飾効果になる。
【０００７】
また、発光体の光を基板の内部に入射させる部分と光を放出する部分が透光性であればよいので、基板の背面に不透明ないし半透明のフィルム（例えばハーフミラーフィルム）を張って、或いはアルミニウム等を基板の背面に蒸着して目隠しにすることができる。
【０００８】
透光性の合成樹脂としてはアクリル、ポリカーボネート等が例示されるが、これらに限るわけではなく、透光性且つ剛性という条件を満たすなら特に制限はない。なお、ここで「剛性」というのは、遊技盤として普通に使用する限りは変形しないということである。また、「透光性」であればよいので、透明である必要はなく、透光性を損なわなければ染料や顔料で着色されていてもよいし、着色したフィルム等が積層されていてもよい。
【０００９】
遊技盤部品には入賞装置やガイドレールのように弾球遊技を行うためには必須となる部品（必須部品）が含まれるのは当然として、例えば装飾を目的として設置される部品や特定の場所や部品（例えば表示装置）を遊技球から保護するための部品のように、弾球遊技の実行という観点では必須ではない部品（非必須部品）も含まれる。例えば表示装置は、これに特定の表示（例えば大当たり表示）がなされると遊技状態が変化するなら必須部品となるし、表示内容が遊技に影響しない（例えば遊技の進行手順などの案内表示を行うだけ）なら非必須部品となる。
【００１０】
発光体としてはＬＥＤ、電球、ＥＬ（エレクトロルミネッセンス）等が例示されるが、これらに限るわけではない。
ところで、遊技盤部品には、入賞装置（可変式でも固定式でも）のように、これを装着するために基板に装着孔を設けることを要するものがある。そうした遊技盤部品に発光体を取り付けるのは、請求項２に記載の構成、すなわち、請求項１記載の遊技盤において、前記発光体は、該発光体が取り付けられている前記遊技盤部品を装着するために前記基板に設けられた装着孔の内周面に光を照射する構成が適している。
【００１１】
この場合、発光体から放射された光は、装着孔の内周面から基板の内部に進入し、その後に基板表面から放出されるので、遊技者には遊技盤部品（発光体を備える）の周辺の基板が光っているように見える。
【００１２】
発光体から装着孔の内周面に光を照射するには、請求項３に記載の構成、すなわち、請求項２記載の遊技盤において、前記発光体は、前記装着孔の内側に位置する部材に取り付けられている構成にするとよい。
【００１３】
また、入賞装置などの遊技盤部品には基板の前面に張り出している鍔状の部分を備えるものがある。そうした鍔状の部分などに発光体を取り付ければ、請求項４に記載のように、前記基板の前面に光を照射することができる。
【００１４】
この場合も、発光体から放射された光は、一旦基板の内部に進入し、その後に基板表面から放出されるので、遊技者には遊技盤部品（発光体を備える）の周辺の基板が光っているように見える。
【００１５】
請求項２、３又は４に記載の構成、すなわち基板の背面と側面（外周面）以外から光を入射する構成であると、基板の背面の全域を不透明ないし半透明にすることができる（その場合、一部を透光性のままにすることもできる）。従って、いわゆるセルに相当する装飾シート（又はフィルム）を基板の背面に張ることもできる。また、基板の背面の適宜部分を選択的に透光性のままにしたり不透明にしたりもでき、例えば基板の背後における入賞球の経路を遊技者に見えるようにしたり、逆にこれを見えなくする等も可能である。
【００１６】
請求項５記載の遊技盤は、請求項１ないし４のいずれか記載の遊技盤において、前記発光体は遊技者には見えない位置に配されているので、遊技者には発光体がどこにあるのかはっきりせず、請求項１〜４の効果が良好になる。
【００１７】
請求項６記載の遊技盤は、請求項４又は５記載の遊技盤において、前記発光体は、前記基板の前面に接触配置される部材の裏面に取り付けられていることを特徴とする。
上述の鍔状の部分のように基板の前面に接触配置される部材の裏面に発光体を取り付けるのは、発光体の光を基板の前面に照射する場合（請求項４）にも、遊技者には見えない位置に発光体を配置する場合（請求項５）にも好適である。
【発明を実施するための最良の形態】
【００１８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
本実施例の遊技盤１は図１に示す外観形状をしている。
【００１９】
この遊技盤１の基板１ａは透明な合成樹脂（本実施例ではアクリル樹脂）製で、板厚は１０ｍｍのものを使用しており、遊技盤としての剛性は十分にある。
基板１ａにはガイドレール２ａ、２ｂ、２ｃが取り付けられており、それらで囲まれた略円形の区画内が遊技領域３とされる。なお、図示は省略したが、ガイドレール２ａ、２ｂ間の切れ目部分には返しゴムが、ガイドレール２ｂ、２ｃ間の切れ目部分にはアウト穴４用のガイド板金が装着されて、それらの切れ目は閉じられる。
【００２０】
遊技領域３の中央部には、上部にワープ入口５ａ、中央部の左右にワープ出口５ｂ、下部に図柄表示装置５ｃ（表示部は３個の７セグメントＬＥＤ）を備えるセンター役物５が取り付けられており、その下方にはゲート７が配されている。ゲート７の下方には電動チューリップ式の可変入賞装置８が配され、その下方にはアタッカー式の大入賞装置９（図示は大入賞口９ａが開放された状態）が配されている。
【００２１】
センター役物５の横には、ランプ風車１１及び普通入賞口１２がそれぞれ左右で対をなして配されている。また、普通入賞口１２の下方には、サイド飾り１３と一体化された普通入賞口１４、１５がそれぞれ左右で対をなして配されている（但し、説明の都合上、左のサイド飾り１３は撤去した状態を図示してある。）。
【００２２】
そして、遊技領域３の最下部には、遊技領域３を通過してきた遊技球をアウト球として排出するためのアウト穴４が設けられている。
なお、遊技領域３には周知の障害釘や風車も配されているが、これらの図示と説明は省略する。
【００２３】
遊技盤部品であるセンター役物５、ゲート７、可変入賞装置８、大入賞装置９、ランプ風車１１、普通入賞口１２及びサイド飾り１３を基板１ａに装着するには、基板１ａに設けられた装着孔１ｂを必要とする。図１には左のサイド飾り１３のための装着孔１ｂを図示してあるが、装着孔１ｂの形状（輪郭）は各遊技盤部品に応じて異なる。但し、基板１ａを貫通している点は全ての装着孔１ｂに共通している。
【００２４】
次に、これら遊技盤部品を代表して、可変入賞装置８の基板１aへの装着形態について説明する。
図２に示すように、可変入賞装置８は外周から張り出したベース部２１を備えており、その背面を基板１ａの前面に接触させてねじ止め（ビスは図示を省略）されることで基板１ａに取り付けられる。
【００２５】
ベース部２１の前面には羽根支持部２２が連設されており、この羽根支持部２２に開閉軸（図示せず）を保持されて一対の開閉羽根２３が取り付けられている。またベース部２１の前面には、開閉羽根２３の上方に位置して、ガイドゲート２４が連設されている。
【００２６】
開閉羽根２３は、周知のように、図示の閉鎖位置と斜め左右に倒れた開放位置とに可変である。開閉羽根２３が閉鎖位置にあるときはガイドゲート２４を通過した遊技球のみが入賞でき、開放位置になったときには、ガイドゲート２４を通過した遊技球のみならず、斜めや横方向等から開閉羽根２３上に流入した遊技球も入賞できる。
【００２７】
ベース部２１の背面側には入賞球を基板１ａの背後に誘導するための樋２５、開閉羽根２３を開閉駆動するためのソレノイド２６、ソレノイド２６の駆動力を開閉羽根２３に伝達するための梃子部材２７等が配されている。これらソレノイド２６から開閉羽根２３に連なる機構及びその動作は公知の電動チューリップと同様である。
【００２８】
ベース部２１の背後に配されている部分の上面部、両側面部及び底面部には、それぞれプリント基板２８が取り付けられている。各プリント基板２８には、平坦なチップ状のＬＥＤ２９とコネクタ（図示は省略）とが実装されており、コネクタ経由で供給される電流によってＬＥＤ２９を発光させることができる。
【００２９】
ＬＥＤ２９は、図２（ａ）、（ｃ）に示されるとおり、可変入賞装置８の装着孔１ｂの内周面に対面状態で配置されており、ＬＥＤ２９を発光させると、その光は装着孔１ｂの内周面から基板１ａの内部に進入し、その後に基板１ａの表面から放出されるので、遊技者には可変入賞装置８の周辺の基板１ａが光っているように見える。
【００３０】
しかも、ＬＥＤ２９はベース部２１の背後に配されていて遊技者には見えないので、遊技者にはＬＥＤ２９がどこにあるのかはっきりせず、基板１ａが発光しているかと思わせることができる。
【００３１】
ここでは可変入賞装置８のＬＥＤ２９について説明したが、他の遊技盤部品、すなわちセンター役物５、大入賞装置９、普通入賞口１２及びサイド飾り１３にも、同様の構成でＬＥＤが取り付けられているので、それらによっても上述と同様の電飾効果が発揮される。
［実施例２］
実施例１はＬＥＤ２９の光を装着孔１ｂの内周面に照射する例であるが、基板１ａの前面に光を照射する例を実施例２として説明する。
【００３２】
ここでも、遊技盤部品を可変入賞装置８に代表させて説明するが、以下に説明する部分以外は実施例１と同様に構成されている。
図３に示すように、可変入賞装置８のベース部２１の背面にはプリント基板３０が取り付けられている。プリント基板３０には実施例１と同様に平坦なチップ状のＬＥＤ２９とコネクタ（図示は省略）とが実装されており、コネクタ経由で供給される電流によってＬＥＤ２９を発光させることができる。
【００３３】
ただし、ＬＥＤ２９が、装着孔１ｂと連通状に基板１ａの前面部分に設けられた凹部１ｃに収容されていて、ＬＥＤ２９の光は凹部１ｃから基板１ａの背面に向かって照射される点が実施例１とは異なっている。
【００３４】
ＬＥＤ２９を発光させると、その光は凹部１ｃから基板１ａの内部に進入し、その後に基板１ａの表面から放出されるので、遊技者には可変入賞装置８の周辺の基板１ａが光っているように見える。
【００３５】
しかも、ＬＥＤ２９はベース部２１の背面に取り付けられていて遊技者には見えず、
ＬＥＤ２９の光は基板１ａの背面方向に向かって照射されるので、遊技者にはＬＥＤ２９がどこにあるのかはっきりせず、基板１ａが発光しているかと思わせることができる。
［その他］
実施例１、２において可変入賞装置８のベース部２１を透光性にすることができ、そのようにすればＬＥＤ２９から出た光が基板１ａを経てベース部２１に入射し、その表面から遊技者側に放射されるので、ベース部２１も電飾として機能する。
【００３６】
実施例１、２のように基板１ａの内部（装着孔１ｂ）や前面（凹部１ｃ）から光を入射する構成であると、基板１ａの背面の全域を不透明ないし半透明にすることができる（その場合、一部を透光性のままにすることもできる）。つまり、いわゆるセルに相当する装飾シート（又はフィルム）を基板１ａの背面に張ることもできる。また、基板１ａの背面の適宜部分を選択的に透光性のままにしたり不透明にしたりもでき、例えば基板１ａの背後における入賞球の経路を遊技者に見えるようにしたり、逆にこれを見えなくする等も可能である。
【図面の簡単な説明】
【００３７】
【図１】実施例の遊技盤の正面図。
【図２】実施例１の可変入賞装置の平面図（ａ）、正面図（ｂ）及び側面図（ｃ）。
【図３】実施例２の可変入賞装置の平面図（ａ）及び正面図（ｂ）。
【符号の説明】
【００３８】
１・・・遊技盤、
１ａ・・・基板、
１ｂ・・・装着孔、
１ｃ・・・凹部、
２ａ、２ｂ、２ｃ・・・ガイドレール（遊技盤部品）、
３・・・遊技領域、
４・・・アウト穴、
５・・・センター役物（遊技盤部品）、
７・・・ゲート（遊技盤部品）、
８・・・可変入賞装置（遊技盤部品）、
９・・・大入賞装置（遊技盤部品）、
１１・・・ランプ風車（遊技盤部品）、
１２・・・普通入賞口（遊技盤部品）、
１３・・・サイド飾り（遊技盤部品）、
１４、１５・・・普通入賞口（遊技盤部品）、
２１・・・ベース部（基板の前面に接触配置される部材）、
２８、３０・・・プリント基板、
２９・・・ＬＥＤ（発光体）。
【図１】
2006136522.tif 000003
【図２】
2006136522.tif 000004
【図３】
2006136522.tif 000005